(57)【要約】【課題】組立作業及び分解作業を容易に行うことができるとともに、仮設貯水槽の大容量化を図ることができる仮設貯水槽用の枠組体を提供する。【解決手段】分離可能な第１〜第４下部水平枠１１Ａ〜１１Ｄの四隅部に対し、取り外し可能に第１〜第４支柱２１Ａ〜２１Ｄを立設するとともに、第１〜第４下部水平枠１１Ａ〜１１Ｄの中間部にパネル取付枠２４を立設する。前記第１〜第４支柱２１Ａ〜２１Ｄに溶接したパネル取付枠２３に形成した縦長の取付溝２３ａと、パネル取付枠２４を構成するＨ形鋼２５に形成した縦長の取付溝２５ａに対し、パネル２７の縦方向の端縁を係合する。前記第１〜第４支柱２１Ａ〜２１Ｄ及びパネル取付枠２３，２４の上端部間に第１〜第４上部水平枠３１Ａ〜３１Ｄを架橋連結する。前記四角筒状に構築されたパネル２７の内部に合成樹脂シートよりなる貯水袋を収容する。【選択図】図１
2010203073.tif 000002
【特許請求の範囲】
【請求項１】
分離可能な複数本の下部水平枠よりなる下部環状枠体と、該下部環状枠体に取り外し可能に立設される複数本の支柱と、前記各支柱に対し平行に固定又は取り外し可能に取り付けられた取付溝を有する各一対のパネル取付枠と、前記パネル取付枠の対向する取付溝に上方から落とし込まれる複数枚のパネルと、前記各支柱及びパネル取付枠の上端部間に架橋連結され、かつ分離可能な複数本の上部水平枠よりなる上部環状枠体とを備えたことを特徴とする仮設貯水槽用の枠組体。
【請求項２】
請求項１において、前記各支柱の間に位置するように、下部環状枠体と上部環状枠体との間には、二条の平行な取付溝を有するパネル取付枠が取り外し可能に架橋連結されていることを特徴とする仮設貯水槽用の枠組体。
【請求項３】
請求項１又は２において、前記下部環状枠体及び上部環状枠体は、互いに連結される４本の直線状の下部水平枠及び上部水平枠によって平面視四角環状に形成され、前記支柱は前記下部環状枠体及び上部環状枠体の４つのコーナ部に連結されていることを特徴とする仮設貯水槽用の枠組体。
【請求項４】
請求項３において、前記各下部水平枠の一端部には、それぞれ連結ボルトが下部水平枠の軸線と平行に連結され、他端部には直角に連結される他の下部水平枠の連結ボルトを貫通する貫通孔がそれぞれ下部水平枠と直交するように形成され、前記連結ボルトが前記貫通孔に貫通された状態で、該連結ボルトに螺合されたナットにより隣接する二本の下部水平枠が互いに直交するように連結され、各上部水平枠も下部水平枠と同様に構成されていることを特徴とする仮設貯水槽用の枠組体。
【請求項５】
請求項１〜４のいずれか一項に記載の枠組体と、該枠組体の内部空間に収容される合成樹脂シートよりなる貯水袋とにより構成されていることを特徴とする仮設貯水槽。
【発明の詳細な説明】
【技術分野】
【０００１】
本発明は、仮設貯水槽用の枠組体及び仮設貯水槽に係り、詳しくは組立及び分解作業を容易に行うことができる仮設貯水槽用の枠組体及び仮設貯水槽に関する。
【背景技術】
【０００２】
公共施設の浄水供給システムに用いられている大型の貯水槽の本体は、鉄筋コンクリート製の底壁と、該底壁の上面に構築された四角筒状の側壁とにより構築されている。コンクリート製の底壁と側壁は、経年変化によって微細なクラックが生じ、漏水の恐れがある。このため、漏水防止対策として貯水槽の本体に貯留された水を一旦排出して、本体の内壁面にステンレススチール製の複数枚のパネルを接合し、隣接する各パネルの端縁を互いに溶接によって接合する対策が講じられていた。
【０００３】
このような既設の貯水槽の漏水防止構造を施工する作業を行う場合には、一時的に貯水槽が使用不能になって、給水が停止され、不便を強いられるとになる。このため、貯水槽の漏水防止工事を行うのに先立って、仮設の貯水槽を設置することが考えられ。この仮設の貯水槽として従来、特許文献１に開示されたものが提案されている。この仮水槽は、四角枠状に形成された貯水槽の内部に、水槽袋を収容し、該水槽袋に接続された送水ホース及び送水口から水を取り出せるようになっていた。
【先行技術文献】
【特許文献】
【０００４】
【特許文献１】特許第３１７９３０９号公報
【発明の概要】
【発明が解決しようとする課題】
【０００５】
ところが、特許文献１に開示された仮水槽は、貯水槽がパネルによって一体的に構成されていたので、例えば５０トン以上の貯水が可能な大型の仮設の貯水槽としては、施工作業が非常に面倒で簡単に組み立て及び分解作業を行うことができないため、殆ど使用されていないという問題があった。
【０００６】
本発明は、上記従来の技術に存する問題点を解消して、組立作業及び分解作業を容易に行うことができるとともに、大容量化を図ることができる仮設貯水槽用の枠組体及び仮設貯水槽を提供することにある。
【課題を解決するための手段】
【０００７】
上記問題点を解決するために、請求項１に記載の発明は、分離可能な複数本の下部水平枠よりなる下部環状枠体と、該下部環状枠体に取り外し可能に立設される複数本の支柱と、前記各支柱に対し平行に固定又は取り外し可能に取り付けられた取付溝を有する各一対のパネル取付枠と、前記パネル取付枠の対向する取付溝に上方から落とし込まれる複数枚のパネルと、前記各支柱及びパネル取付枠の上端部間に架橋連結され、かつ分離可能な複数本の上部水平枠よりなる上部環状枠体とを備えたことを要旨とする。
【０００８】
請求項２に記載の発明は、請求項１において、前記各支柱の間に位置するように、下部環状枠体と上部環状枠体との間には、二条の平行な取付溝を有するパネル取付枠が取り外し可能に架橋連結されていることを要旨とする。
【０００９】
請求項３に記載の発明は、請求項１又は２において、前記下部環状枠体及び上部環状枠体は、互いに連結される４本の直線状の下部水平枠及び上部水平枠によって平面視四角環状に形成され、前記支柱は前記下部環状枠体及び上部環状枠体の４つのコーナ部に連結されていることを要旨とする。
【００１０】
請求項４に記載の発明は、請求項３において、前記各下部水平枠の一端部には、それぞれ連結ボルトが下部水平枠の軸線と平行に連結され、他端部には直角に連結される他の下部水平枠の連結ボルトを貫通する貫通孔がそれぞれ下部水平枠と直交するように形成され、前記連結ボルトが前記貫通孔に貫通された状態で、該連結ボルトに螺合されたナットにより隣接する二本の下部水平枠が互いに直交するように連結され、各上部水平枠も下部水平枠と同様に構成されていることを要旨とする。
【００１１】
請求項５に記載の発明は、請求項１〜４のいずれか一項に記載の枠組体と、該枠組体の内部空間に収容される合成樹脂シートよりなる貯水袋とにより構成されていることを特徴とすることを要旨とする。
【００１２】
（作用）
この発明は、下部環状枠体に複数本の支柱を立設し、前記各支柱の間にパネル取付枠を立設し、前記パネル取付枠の対向する取付溝に上方からパネルを落とし込み、前記各支柱及びパネル取付枠の上端部に上部環状枠体を装着することにより仮設貯水槽用の枠組体が構築される。
【発明の効果】
【００１３】
本発明によれば、組立作業及び分解作業を容易に行うことができるとともに、貯水槽の大容量化を図ることができる。
【図面の簡単な説明】
【００１４】
【図１】この発明の仮設貯水槽の枠組体を具体化した一実施形態を示す斜視図。
【図２】仮設貯水槽の枠組体の水平断面図。
【図３】枠組体の下部環状枠を構成する複数本の下部水平枠の分離斜視図。
【図４】下部環状枠の組付状態を示す斜視図。
【図５】パネル取付枠を備えた支柱を示す斜視図。
【図６】別のパネル取付枠を示す斜視図。
【図７】パネルの斜視図。
【図８】上部環状枠を構成する複数本の上部水平枠及び上部中間水平枠の分離斜視図。
【図９】蓋体の装着状態を示す仮設貯水槽の斜視図。
【図１０】下部環状枠、支柱及びパネル取付枠の組付状態の斜視図。
【図１１】下部環状枠、支柱、パネル取付枠及びパネルの組付状態の斜視図。
【発明を実施するための形態】
【００１５】
以下、本発明の仮設貯水槽を具体化した一実施形態を図面にしたがって説明する。
図１に示すように、仮設貯水槽の枠組体は、概略的に見て、平面視四角枠状に連結された４本の第１〜第４下部水平枠１１Ａ〜１１Ｄ（図４参照）よりなる下部環状枠体と、各水平枠１１Ａ〜１１Ｄの連結部に上方向に互いに平行に立設された４本の第１〜第４支柱２１Ａ〜２１Ｄとを備えている。前記各第１〜第４支柱２１Ａ〜２１Ｄには、それぞれ二箇所にパネル取付枠２３が該支柱２１Ａ〜２１Ｄと平行に溶接されている。又、前記枠組体は、前記各水平枠１１Ａ〜１１Ｄの中間部にそれぞれ上方向に互いに平行に立設された８本のパネル取付枠２４と、前記第１〜第４支柱２１Ａ〜２１Ｄ及び各パネル取付枠２４の上端部に平面視四角形状に架橋連結された４本の第１〜第４上部水平枠３１Ａ〜３１Ｄよりなる上部環状枠体とを備えている。
【００１６】
そこで、前記第１〜第４下部水平枠１１Ａ〜１１Ｄ、第１〜第４支柱２１Ａ〜２１Ｄ、パネル取付枠２３，２４及び第１〜第４上部水平枠３１Ａ〜３１Ｄの構成を順次説明する。
【００１７】
図３及び図４に示すように、第１〜第４下部水平枠１１Ａ〜１１Ｄは全て同様に構成されているので、第１下部水平枠１１Ａの構成を中心に説明する。第１下部水平枠１１Ａを構成する直線状の角パイプ１２の一端面には、取付板１３が溶接によって固定され、該取付板１３の中心部には連結ボルト１４の基端部が貫通固定されている。該連結ボルト１４は角パイプ１２の軸線方向に指向するようになっている。前記第２下部水平枠１１Ｂの角パイプ１２の一端部には前記第１下部水平枠１１Ａの連結ボルト１４が貫通される貫通孔１２ａが形成され、該貫通孔１２ａに連結ボルト１４が貫通された状態において、図４に示すように連結ボルト１４にナット１５を螺合することにより、第１下部水平枠１１Ａと第２下部水平枠１１Ｂが直交するように連結されている。図３に示すように前記第１下部水平枠１１Ａの角パイプ１２の他端部には、前記第４下部水平枠１１Ｄ側の連結ボルト１４を貫通する貫通孔１２ａが形成され、図４に示すように前記連結ボルト１４にナット１５を螺合することにより第１下部水平枠１１Ａと第４下部水平枠１１Ｄが直交するように連結されている。
【００１８】
前記第１下部水平枠１１Ａの角パイプ１２の他端面には後述する第１支柱２１Ａを第１下部水平枠１１Ａに直角に連結するための連結板１６が溶接によって連結され、該連結板１６の上板部は角パイプ１２の上面より上方向に突出され、連結ボルト１７の挿入孔１６ａが形成されている。
【００１９】
前記角パイプ１２の中間部の側面の二箇所には、前記各パネル取付枠２４の連結用の連結板１８の下板部が溶接によって連結され、各連結板１８の上板部は角パイプ１２の上面より上方向に突出され、該上板部には連結ボルト１９の挿入孔１８ａが形成されている。
【００２０】
次に、図５に基づいて、前記第１下部水平枠１１Ａの連結板１６側の端部上面に立設される第１支柱２１Ａについて説明する。
この第１支柱２１Ａは縦長の角パイプ２２によって構成されている。前記角パイプ２２の下端部の一側面には、前記連結板１６の挿入孔１６ａと対応するようにネジ孔２２ａが上下二箇所に形成されている。そして、前記連結板１６の挿入孔１６ａから二本の連結ボルト１７を貫通して角パイプ２２のネジ孔２２ａに両ボルト１７を螺合することにより、第１下部水平枠１１Ａと第１支柱２１Ａが図１０に示すように直角に連結されるようになっている。前記角パイプ２２の互いに直交する２つの側面には、Ｕ字鋼よりなるパネル取付枠２３が溶接によって角パイプ２２と平行に連結されている。このパネル取付枠２３の取付溝２３ａに図７に示すパネル２７の側端縁が係合されるようになっている。前記第２支柱２１Ｂは、図１０に示すように、第１下部水平枠１１Ａと第２下部水平枠１１Ｂとの連結部（コーナ部）の上面に立設され、同様に、第２下部水平枠１１Ｂと第３下部水平枠１１Ｃの連結部（コーナ部）の上面に第３支柱２１Ｃが立設され、第３下部水平枠１１Ｃと、第４下部水平枠１１Ｄの連結部（コーナ部）の上面に第４支柱２１Ｄが立設されている。
【００２１】
次に、図６に基づいて、前記連結板１８に連結される各パネル取付枠２４について説明する。
このパネル取付枠２４は所定寸法に切断された取付溝２５ａを有するＨ形鋼２５により構成されている。Ｈ形鋼２５の下端部には前記連結板１８の二つの挿入孔１８ａと対応するようにネジ孔２５ｂが上下二箇所に形成されている。そして、図１０に示すように、第１下部水平枠１１Ａの上面に前記パネル取付枠２４を直交するように立設した状態で、連結板１８の挿入孔１８ａから連結ボルト１９を貫通して、ボルト１９を前記ネジ孔２５ｂに螺合することによって、第１下部水平枠１１Ａの上面に前記パネル取付枠２４を直交するように連結している。同様にして、各下部水平枠１１Ｂ，１１Ｃ，１１Ｄの上面に前記パネル取付枠２４がそれぞれ二箇所に立設されている。
【００２２】
図１０において、前記第１〜第４支柱２１Ａ〜２１Ｄに連結されたパネル取付枠２３の取付溝２３ａと、前記各パネル取付枠２４のＨ形鋼２５の取付溝２５ａとに、図７に示すパネル２７を上方から挿入することにより、図１１に示すように複数枚のパネル２７の縦方向の端縁をそれぞれパネル取付枠２３，２４に係合するようにしている。
【００２３】
次に、図８に基づいて、上部環状枠体を構成する前記第１〜第４上部水平枠３１Ａ〜３１Ｄについて説明する。この第１〜第４上部水平枠３１Ａ〜３１Ｄは、前述した第１〜第４下部水平枠１１Ａ〜１１Ｄの構成とほぼ同様に構成されている。相違点は前記連結板１６が下向きに連結されるとともに、前記連結板１８も下向きに連結されている点である。そして、前記連結板１６の挿入孔１６ａにボルト１７を貫通して図５に示す第１支柱２１Ａの角パイプ２２の上部に設けたネジ孔２２ｂにボルト１７を螺合することによって、第１支柱２１Ａと第１上部水平枠３１Ａとを図１に示すように直交するように連結するようになっている。図８において、前記連結板１８の挿入孔１８ａにボルト１９を貫通し、図６に示すパネル取付枠２４のＨ形鋼２５のネジ孔２５ｃにボルト１９を螺合することにより、図１に示すようにパネル取付枠２４の上端部と第１上部水平枠３１Ａとを連結するようになっている。
【００２４】
図８に示すように、前記第１上部水平枠３１Ａ、第３上部水平枠３１Ｃの角パイプ１２の対向する側面には、ボルト挿通孔３２ａを有するブラケット３２がそれぞれ二箇所に溶接によって取り付けられている。この対向する一対のブラケット３２には図１に示すようにチャンネル状をなす上部中間水平枠３３の両端部が架橋連結されている。前記上部中間水平枠３３の両端部には、前記ブラケット３２のボルト挿通孔３２ａと対応するように挿通孔３３ａが形成され、ボルト３４及びナット３５を用いて前記ブラケット３２に上部中間水平枠３３が連結されている。
【００２５】
前記第２上部水平枠３１Ｂ及び第４上部水平枠３１Ｄの角パイプ１２の対向する側面には、ボルト挿通孔３６ａを有するブラケット３６が溶接によって取り付けられている。二本の前記上部中間水平枠３３にも前記ブラケット３６と同様のブラケット３６が溶接によって取り付けられている。互いに対応する前記各一対のブラケット３６の間には、チャンネル状をなす六本の上部中間水平枠３７の両端部が架橋連結されている。前記各上部中間水平枠３７の両端部には前記ブラケット３６のボルト挿通孔３６ａと対応するように挿通孔３７ａが形成され、ボルト３８及びナット３９によって、前記各ブラケット３６に各上部中間水平枠３７が架橋連結されている。
【００２６】
前記第１〜第４上部水平枠３１Ａ〜３１Ｄ、上部中間水平枠３３及び上部中間水平枠３７の上面には、これらの枠全体を覆うようなステンレススチールの板材よりなる偏平四角キャップ状の蓋体４０が嵌装されている。
【００２７】
次に、図３〜図９に示す各部材を用いて、図１に示す仮設貯水槽の枠組体を構築する作業について説明する。
最初に、図３に示すように、互いに分離された第１〜第４下部水平枠１１Ａ〜１１Ｄを、図４に示すように、前記連結ボルト１４及びナット１５を用いて前述したように平面視四角環状に連結する。
【００２８】
次に、互いに連結された水平枠１１Ａ〜１１Ｄの連結部の上面に前記連結板１６と対応するように図５に示す第１〜第４支柱２１Ａ〜２１Ｄの下端部を図１０に示すように支持する。そして、前記ボルト１７を連結板１６の挿入孔１６ａに貫通するとともに、角パイプ２２のネジ孔２２ａにボルト１７を螺合することにより、４本の第１〜第４支柱２１Ａ〜２１Ｄを上下方向に互いに平行に立設する。又、水平枠１１Ａ〜１１Ｄの角パイプ１２の上面に対し前記各連結板１８と対応するように図６に示すパネル取付枠２４の下端部を支持し、ボルト１９を連結板１８の挿入孔１８ａからＨ形鋼２５のネジ孔２５ｂに螺合することにより、図１０に示すように８本のパネル取付枠２４を互いに平行に立設する。
【００２９】
この状態において、図７に示すパネル２７の縦方向の側縁を、図１０において、パネル取付枠２３の取付溝２３ａと、パネル取付枠２４の取付溝２５ａにそれぞれ係合することにより、図１１に示すように四角筒状のパネル筒体を構築する。
【００３０】
さらに、図８に示す第１〜第４上部水平枠３１Ａ〜３１Ｄを、図１１に示す前記第１〜第４支柱２１Ａ〜２１Ｄ及びパネル取付枠２４の上端部間に支持し、連結ボルト１４及びナット１５によって、第１〜第４上部水平枠３１Ａ〜３１Ｄを平面視四角環状に連結する。さらに、図１に示すように前記連結板１６及びボルト１７によって、第１〜第４支柱２１Ａ〜２１Ｄの上端部を前記第１〜第４上部水平枠３１Ａ〜３１Ｄに連結する。連結板１８及びボルト１９によって前記パネル取付枠２４の上端部を各第１〜第４上部水平枠３１Ａ〜３１Ｄの連結板１８に連結する。
【００３１】
次に、図２に二点鎖線で示すように、仮設貯水槽の枠組体の内部に、合成樹脂シートにより構成された変形可能な貯水袋４１を収容する。その後、図１に示すように前記第１〜第４上部水平枠３１Ａ〜３１Ｄに上部中間水平枠３３，３７を装着する。最後に、図９に示すように、貯水槽の枠組体の上部に前記蓋体４０を嵌装することにより、仮設貯水槽の構築を完了する。
【００３２】
上記実施形態の仮設貯水槽用の枠組体によれば、以下のような効果を得ることができる。
（１）上記実施形態では、図４に示す分離可能な水平枠１１Ａ〜１１Ｄの連結部に第１〜第４支柱２１Ａ〜２１Ｄを立設するとともに、連結板１８及びボルト１９によって各角パイプ１２の上面に図６に示すパネル取付枠２４を立設し、パネル取付枠２３の取付溝２３ａ及びパネル取付枠２４の取付溝２５ａにパネル２７を装着した。さらに、第１〜第４支柱２１Ａ〜２１Ｄの上端部及びパネル取付枠２４の上端部間に、第１〜第４上部水平枠３１Ａ〜３１Ｄを取り外し可能に連結した。このため、巨大な仮設貯水槽を簡単に構築することができる。又、使用済みの仮設貯水槽を容易に分解することもできる。
【００３３】
（２）上記実施形態では、第１〜第４支柱２１Ａ〜２１Ｄの角パイプ２２に溶接されたパネル取付枠２３の取付溝２３ａと、角パイプ１２の上面に立設された各パネル取付枠２４のＨ形鋼２５の取付溝２５ａとの間に、パネル２７を上方向から案内移動させて複数枚のパネル２７を装着するようにした。このため、パネル２７の装着構造を簡素化することができるとともに、パネル２７の枚数を増加させて、パネル２７を軽量化することができ、パネル２７の装着作業を容易に行うことができる。
【００３４】
（３）上記実施形態では、第１〜第４下部水平枠１１Ａ〜１１Ｄ及び第１〜第４上部水平枠３１Ａ〜３１Ｄを実質的に同一の構成にしたので、構成部品の種類を低減して、製造及び保管を容易に行い、組立作業あるいは分解作業を容易に行うことができる。
【００３５】
（４）上記実施形態では、前記第１〜第４下部水平枠１１Ａ〜１１Ｄの角パイプ１２に連結板１８を設け、第１〜第４上部水平枠３１Ａ〜３１Ｄの角パイプ１２に連結板１８を設けたので、前記各パネル取付枠２４の連結を容易に行うことができる。
【００３６】
（５）上記実施形態では、第１〜第４支柱２１Ａ〜２１Ｄの角パイプ２２に二本のパネル取付枠２３を溶接により連結したので、部品点数を低減し、製造及び組付作業を容易に行うことができる。
【００３７】
なお、上記実施形態は以下のように変更してもよい。
・前記実施形態では、仮設水槽用の枠組体を、平面視四角環状に形成したが、これを３角環状、５角環状、６角環状、その他の多角環状あるいは円環状に形成してもよい。
【００３８】
・前記実施形態では、隣接する第１〜第４支柱２１Ａ〜２１Ｄの間に二本のパネル取付枠２４を配設するようにしたが、このパネル取付枠２４を一本あるいは三本以上にしてもよい。そして、前記第１〜第４下部水平枠１１Ａ〜１１Ｄ、第１〜第４支柱２１Ａ〜２１Ｄ、第１〜第４上部水平枠３１Ａ〜３１Ｄ、パネル取付枠２４の寸法及び本数を適宜に変更すことによって、大型の仮設貯水槽用の枠組体を容易に構築することができる。
【００３９】
・前記第１〜第４支柱２１Ａ〜２１Ｄの角パイプ２２と、パネル取付枠２３とを分離可能に構成してもよい。
【符号の説明】
【００４０】
１１Ａ，１１Ｂ，１１Ｃ，１１Ｄ…第１〜第４下部水平枠、１２ａ…貫通孔、１４，１７，１９…連結ボルト、１５…ナット、２１Ａ〜２１Ｄ…第１〜第４支柱、２３，２４…パネル取付枠、２３ａ，２５ａ…取付溝、２７…パネル。
【図１】
2010203073.tif 000003
【図２】
2010203073.tif 000004
【図３】
2010203073.tif 000005
【図４】
2010203073.tif 000006
【図５】
2010203073.tif 000007
【図６】
2010203073.tif 000008
【図７】
2010203073.tif 000009
【図８】
2010203073.tif 000010
【図９】
2010203073.tif 000011
【図１０】
2010203073.tif 000012
【図１１】
2010203073.tif 000013